(57)【要約】【課題】人の操作を必要とすることなく照明の制御を容易に行うことのできる照明制御システムを提供することを目的とする。【解決手段】照明制御システムは、第１信号を無線通信により送信するタグと、前記第１信号が受信されると、有線接続された複数の照明機器それぞれを識別する照明識別子のうち１つ以上の照明識別子から構成され、且つ前記タグと関連付けられた一の集合から制御すべき照明機器を特定し、特定された照明機器に対して点灯に係る第２信号を送信するタグリーダとから構成される。【選択図】図１
2011175758.tif 000002
【特許請求の範囲】
【請求項１】
第１信号を無線で送信する第１送信手段を備えるタグと、
前記第１信号を受信すると、有線接続された複数の照明機器それぞれを識別する照明識別子のうち、前記タグと関連付けられた照明識別子から制御すべき照明機器を特定する特定手段、及び特定された照明機器に点灯に係る第２信号を送信する第２送信手段を備えるタグリーダとから構成される
ことを特徴とする照明制御システム。
【請求項２】
前記照明制御システムには、
照明機器の点灯に係る制御を行う通常モードと、タグに対して関連付けを行う登録モードとがあり、
前記複数の照明機器は、前記登録モードにおいて、当該複数の照明機器のうち１つ以上の照明機器からなる集合毎に点灯及び消灯を繰り返すよう制御され、
前記タグリーダは、さらに、
一の集合について点灯がされるよう制御されている間に、前記タグからの指示により、当該一の集合を構成する照明機器の照明識別子と前記タグとの間における関連付けに係る処理を行う処理手段を備える
ことを特徴とする請求項１に記載の照明制御システム。
【請求項３】
前記照明制御システムには、
照明機器の点灯に係る制御を行う通常モードと、タグに対して関連付けを行う登録モードとがあり、
前記照明制御システムは、さらに、
前記複数の照明機器は、前記登録モードにおいて前記照明機器毎に点灯及び消灯を繰り返すよう制御され、
前記タグリーダは、さらに、
前記照明機器が点灯されるよう制御されている間に、前記タグからの指示がある度に、前記指示を受け付けた時点で点灯している照明機器と、当該タグとの関連付けに係る処理を行う処理手段を備える
ことを特徴とする請求項１に記載の照明制御システム。
【請求項４】
前記タグは、
ユーザから関連付けを行う旨の関連付け指示を受け付ける受付手段を備え、
前記送信手段は、さらに、前記関連付け指示を前記タグリーダへ送信し、
前記処理手段は、前記関連付け指示が受信されると、前記関連付けに係る処理を行う
ことを特徴とする請求項２又は３に記載の照明制御システム。
【請求項５】
前記処理手段は、
前記関連付け指示を送信したタグへ、前記一の集合を構成する照明識別子を送信することで、前記関連付けに係る処理を行い、
前記タグは、さらに、
記憶手段と、
前記タグリーダから前記照明識別子を受信する受信手段と、
前記受信手段で受信された前記照明識別子を前記記憶手段へ登録する登録手段とを備え、
前記第１信号には、前記記憶手段で記憶されている全ての照明識別子を含み、
前記特定手段による特定とは、前記第１信号に含まれる照明識別子の取得である
ことを特徴とする請求項４に記載の照明制御システム。
【請求項６】
前記タグは、さらに、
他のタグへ前記記憶手段で記憶されている照明識別子を複写する複写指示を受け付ける受付手段と、
前記複写指示が受け付けられると、前記記憶手段で記憶されている全ての照明識別子又は一部の照明識別子を前記他のタグへ複写する複写手段とを備える
ことを特徴とする請求項５に記載の照明制御システム。
【請求項７】
前記タグは、さらに、
他のタグへ前記記憶手段で記憶されている照明識別子を複写する指示を受け付ける受付手段とを備え、
前記送信手段は、さらに、
前記指示を受け付けると、前記記憶手段で記憶されている全ての照明識別子又は一部の識別子を含む複写情報を前記タグリーダへ送信し、
前記タグリーダは、さらに、
前記複写情報を受信する受信手段と、
前記複写情報が受信されると、前記他のタグへ前記複写情報に含まれる前記照明識別子を複写する複写手段とを備える
ことを特徴とする請求項５に記載の照明制御システム。
【請求項８】
前記タグリーダは、さらに、
記憶手段を備え、
前記処理手段は、
前記関連付け指示を送信したタグを識別するタグ識別子と、当該関連付け指示を受け付けた時点で点灯している照明機器の集合を構成する照明識別子とを対応付けて、前記記憶手段へ書き込むことで、前記関連付けに係る処理を行い、
前記第１信号には、前記タグのタグ識別子を含み、
前記特定手段による特定とは、前記第１信号に含まれるタグ識別子と対応付けられた照明識別子を前記記憶手段から取得することである
ことを特徴とする請求項４に記載の照明制御システム。
【請求項９】
前記タグリーダは、さらに、
他のタグリーダへ、前記記憶手段で記憶されているタグ識別子と、当該タグ識別子と対応付けられた照明識別子とからなる組を複写する複写指示を受け付ける受付手段と、
前記複写指示が受け付けられると、前記関連付け情報を前記他のタグリーダへ複写する複写手段を備える
ことを特徴とする請求項８に記載の照明制御システム。
【請求項１０】
前記照明制御システムには、
照明機器の点灯に係る制御を行う通常モードと、タグに対して関連付けを行う登録モードとがあり、
前記照明制御システムは、さらに、
前記複数の照明機器と接続され、前記登録モードにおいて、当該複数の照明機器のうち１つ以上の照明機器からなる集合毎に点灯及び消灯を繰り返すよう制御する制御装置を備え、
前記タグリーダは、さらに、
前記登録モードにおいて、前記制御装置による制御で一の集合について点灯がなされている間に、前記一の集合を構成する照明機器の照明識別子を無線通信により送信する送信手段を備え、
前記タグは、さらに、
記憶手段と、
前記タグリーダの前記送信手段から送信された前記照明識別子を受信する受信手段と、
前記受信手段で受信された前記照明識別子を前記記憶手段へ登録する登録手段とを備え、
前記関連付けとは、前記登録手段における登録であり、
前記第１信号には、前記記憶手段で記憶されている全ての照明識別子を含み、
前記特定手段による特定とは、前記第１信号に含まれる照明識別子の取得である
ことを特徴とする請求項１に記載の照明制御システム。
【請求項１１】
前記照明制御システムには、
照明機器の点灯に係る制御を行う通常モードと、タグに対して関連付けを行う登録モードとがあり、
前記照明制御システムは、さらに、
前記複数の照明機器と接続され、前記登録モードにおいて、前記複数の照明機器毎に点灯及び消灯を繰り返すよう制御する制御装置を備え、
前記タグリーダは、さらに、
前記登録モードにおいて、
前記制御装置が前記複数の照明機器毎に順次点灯及び消灯を繰り返す度に、点灯されている照明機器を識別する照明識別子を無線通信により送信する送信手段を備え、
前記タグは、さらに、
記憶手段と、
前記タグリーダの前記送信手段から送信された前記照明識別子を受信する受信手段と、
前記受信手段で受信された前記照明識別子を前記記憶手段へ登録する登録手段とを備え、
前記第１信号には、前記記憶手段で記憶されている全ての照明識別子を含み、
前記特定手段による特定とは、前記前記信号に含まれる照明識別子の取得である
ことを特徴とする請求項１に記載の照明制御システム。
【発明の詳細な説明】
【技術分野】
【０００１】
本発明は、照明機器の制御を行うシステムに関するものである。
【背景技術】
【０００２】
従来、ビルのフロアの一区画（エリア）が利用される場合、その利用者は、例えば壁面に備えられた照明スイッチを操作して、利用するエリア内の照明機器を点灯させている。このような操作では、複数のスイッチを操作することで、利用するエリアの複数の照明機器の点灯を制御する場合がある。
そこで、特許文献１では、予めグルーピングされた照明機器（例えば、エリア毎にグルーピングされた照明機器）に対して、タッチパネル上の１回の点灯操作により、複数のスイッチを操作することなく点灯・消灯を制御する技術が開示されている。
【先行技術文献】
【特許文献】
【０００３】
【特許文献１】特開平１０−２４３４７８号公報
【発明の概要】
【発明が解決しようとする課題】
【０００４】
しかしながら、照明スイッチの操作にしろ、特許文献１に開示されているタッチパネル上の操作にしろ、人の操作が必要であるので、利用者はその操作が煩わしいと感じるときがある。例えば、あるエリアを利用したい人物が、両手に荷物を抱えている場合である。
そこで、本発明は、上述の問題に鑑みてなされたものであって、人の操作を必要とすることなく照明の制御を容易に行うことのできる照明制御システムを提供することを目的とする。
【課題を解決するための手段】
【０００５】
上記目的を達成するために、本発明は、照明制御システムであって、第１信号を無線で送信する第１送信手段を備えるタグと、前記第１信号を受信すると、有線接続された複数の照明機器それぞれを識別する照明識別子のうち、前記タグと関連付けられた照明識別子から制御すべき照明機器を特定する特定手段、及び特定された照明機器に点灯に係る第２信号を送信する第２送信手段を備えるタグリーダとから構成されることを特徴とする。
【発明の効果】
【０００６】
この構成によると、照明制御システムは、タグリーダにおいて第１信号を受信すると、受信した第１信号を送信したタグと関連付けられた照明器具に点灯に係る制御を行う。これにより、照明制御システムは、照明機器の制御を人の操作を介することなく行うことができる。
【図面の簡単な説明】
【０００７】
【図１】照明制御システム１の概要を示す図である。
【図２】タグリーダ１０ａの構成を示すブロック図である。
【図３】タグ２０ａの構成を示すブロック図である。
【図４】照明情報テーブル２３２のデータ構造の一例を示す図である。
【図５】照明制御処理の概要を示す流れ図である。
【図６】登録処理の概要を示す流れ図である。
【図７】通常モード時におけるタグ２０ａの処理を示す流れ図である。
【図８】登録モード時におけるタグ２０ａの処理を示す流れ図である。
【図９】登録モード時におけるタグリーダ１０ａの処理を示す流れ図である。
【図１０】タグ間における複写処理を示す流れ図である。
【図１１】タグリーダ１０１０の構成を示すブロック図である。
【図１２】照明情報テーブル１１７１のデータ構造の一例を示す図である。
【図１３】タグ１０２０の構成を示すブロック図である。
【図１４】通常モード時におけるタグリーダ１０１０の処理を示す流れ図である。
【図１５】登録モード時におけるタグ１０２０の処理を示す流れ図である。
【図１６】登録モード時におけるタグリーダ１０１０の処理を示す流れ図である。
【図１７】タグリーダ間における複写処理を示す流れ図である。
【発明を実施するための形態】
【０００８】
以下、本発明の一実施形態である照明制御システム１について、図面を参照しながら説明する。
１．第１の実施の形態
１．１  概要
実施の形態に係る照明制御システム１は、図１に示すように、タグリーダ（以下、「ＴＲ」ともいう。）１０ａ、１０ｂと、タグ２０ａ〜２０ｄと、照明機器３０ａ〜３０ｊと、制御監視装置４０ａ、４０ｂとから構成されている。
【０００９】
本実施の形態においては、ＴＲ１０ａ及び制御監視装置４０ａは照明機器３０ａ〜３０ｅと、ＴＲ１０ｂ及び制御監視装置４０ｂは照明機器３０ｆ〜３０ｊと有線接続されている。
照明制御システム１は、照明機器の照明制御を行う通常モードと、タグと当該タグで制御すべき照明機器とを関連付ける登録モードとを有している。
【００１０】
以下、通常モードと登録モードとに分けて、照明制御システム１の概要について説明する。
（１）通常モード時
通常モード時では、照明制御システム１は、フロア２内のエリアＡ、Ｂにおいて、エリアに存在するタグとタグリーダとの通信により、当該エリアに存在する照明機器の点灯に係る制御を行う。ここで、点灯に係る制御とは、例えば、照明機器の電源をオンにする制御である。
【００１１】
ＴＲ１０ａ、１０ｂそれぞれは、エリア内に存在するタグと通信を行うために、一定の周期（Ｔ０）毎に、ＬＦ（ＬｏｗＦｒｅｑｕｅｎｃｙ）帯（１３５ｋＨｚ帯）の一周波数を用いて起動信号を発報している。この起動信号には、当該起動信号を発報したリーダ識別子が含まれている。ここで、リーダ識別子とはＴＲを識別するためのものであり、例えば、ＭＡＣアドレス（Ｍｅｄｉａ  Ａｃｃｅｓｓ  Ｃｏｎｔｒｏｌ  ａｄｄｒｅｓｓ）である。
【００１２】
ＴＲ１０ａ、１０ｂそれぞれは、当該ＴＲが発報した起動信号を受信したタグから、起動信号に対する応答を示す応答信号を受信する。ここで、応答信号には、受信した起動信号に含まれるリーダ識別子と、点灯制御する１つ以上の照明機器それぞれを識別する照明識別子とが含まれている。
ＴＲ１０ａ、１０ｂそれぞれは、受信した応答信号に含まれるリーダ識別子を基に当該応答信号が自身宛のものであるか否かを判断する。自身宛であると判断する場合において、各ＴＲ１０ａ、１０ｂは、応答信号に含まれる１つ以上の照明識別子に対応する照明機器の点灯に係る制御を行う。
【００１３】
タグ２０ａ〜２０ｄは、リーダ識別子と、当該識別子で識別されるＴＲで制御される１つ以上の照明機器の照明識別子とを対応付けて記憶している。タグ２０ａ〜２０ｄは、あるエリアにて当該エリアに存在するＴＲから起動信号を受信すると、受信した起動信号に含まれるリーダ識別子と対応付けたれた照明識別子が存在する場合に、当該リーダ識別子と、当該リーダ識別子と対応付けられた全ての照明識別子とを含む応答信号を送信する。
【００１４】
（２）登録モード時
制御監視装置４０ａ、４０ｂそれぞれは、接続された各照明機器のうち１つ以上の照明機器からなる複数の組み合わせ（集合）を予め記憶している。
登録モード時において、制御監視装置４０ａ、４０ｂそれぞれは、前記複数の組み合わせ毎に点灯及び消灯を繰り返すよう制御する。
【００１５】
タグ２０ａ〜２０ｄそれぞれは、ある組み合わせにおいて点灯がされるよう制御されている間に、登録を示す登録信号を送信する。ここで、登録信号には、当該登録信号を送信したタグを識別するためのタグ識別子が含まれている。
ＴＲ１０ａ、１０ｂは、登録信号を受信すると、その時点で点灯している全ての照明機器を識別する照明識別子を特定し、リーダ識別子とともに登録信号の送信元であるタグへ送信する。
【００１６】
タグ２０ａ〜２０ｄは、点灯している全ての照明機器の照明識別子及びリーダ識別子を受信すると、受信した照明識別子と、リーダ識別子とを対応付けて記憶する。
なお、タグ２０ａ〜２０ｄそれぞれは、応答信号及び登録信号を送信する場合には、ＵＨＦ（ＵｌｔｒａＨｉｇｈ Ｆｒｅｑｕｅｎｃｙ）帯（４００ＭＨｚ帯）の一周波数を用いるものとする。
【００１７】
以上により、通常モード及び登録モード時における照明制御システム１の概要の説明を終える。
以下、各装置の詳細について説明する。
１．２  タグリーダ（ＴＲ）１０ａ、１０ｂ
タグリーダ１０ａ、１０ｂの構成要素は同じであるので、ここでは、タグリーダ１０ａの構成要素について説明する。
【００１８】
タグリーダ１０ａは、図２に示すように、Ｉ／Ｆ（ＩｎｔｅｒＦａｃｅ）部１１０と、操作部１３０と、ＬＦ帯送受信部１４０と、小電力受信部（ＵＨＦ帯受信部）１５０と、制御部１８０とから構成される。
（１）Ｉ／Ｆ部１１０
Ｉ／Ｆ部１１０は、照明機器３０ａ〜３０ｅ及び制御監視装置４０ａと予め定められた通信規格（例えばＲＳ−４８５規格）に従って通信を実行する機能を有する。具体的には、Ｉ／Ｆ部１１０は、照明機器３０ａ〜３０ｅ及び制御監視装置４０ａから送信されてくる信号を制御部１８０に伝達する機能と、制御部１８０から伝達されてきた照明の点灯に係る制御信号を照明機器３０ａ〜３０ｅに送信する機能と、制御部１８０から伝達されてきた照明識別子の取得に係る取得指示信号を制御監視装置４０ａに送信する機能とを有する。
【００１９】
（２）ＬＦ帯送受信部１４０
ＬＦ帯送受信部１４０は、タグ２０ａ〜２０ｄと通信を実行するものであり、制御部１８０から伝達された起動信号及び照明識別信号を変調して、ＬＦ帯でＬＦアンテナ１４１を介して送信する機能を有している。また、ＬＦ帯送受信部１４０は、ＬＦ帯で送信されてきた信号を受信して制御部１８０に伝達する機能とも有している。
【００２０】
ここで、照明識別信号には、１つ以上の照明識別子と送信先のタグを示すタグ識別子とを含んでいる。
（３）小電力受信部１５０
小電力受信部１５０は、タグ２０ａ〜２０ｄからの信号をＵＨＦ帯でＵＨＦアンテナ１５１を介して受信し、受信した信号を復調して制御部１８０に伝達する機能を有する。
【００２１】
具体的には、タグ２０ａ〜２０ｄから送信された応答信号及び登録信号を受信し、受信した応答信号及び登録信号を復調して制御部１８０へ伝達する。
（４）操作部１３０
操作部１３０は、ユーザの操作により、登録モードと通常モードとの切替の指示を受け付ける。
【００２２】
操作部１３０は、通常モードから登録モードへの切替の指示を受け付けると、通常モードから登録モードへの切替を指示する第１切替指示を制御部１８０へ通知する。
操作部１３０は、登録モードから通常モードへの切替の指示を受け付けると、登録モードから通常モードへの切替を指示する第２切替指示を制御部１８０へ通知する。
（５）制御部１８０
制御部１８０は、予め記憶されているプログラムを実行することによりタグリーダ１０ａの各部を制御する機能を有する。
【００２３】
制御部１８０は、図２に示すように、モード切替部１８１、照明制御部１８２及び登録処理部１８３を含んでいる。
（５−１）モード切替部１８１
モード切替部１８１は、操作部１３０から第１切替指示を受け取ると、登録処理部１８３の機能を有効と、照明制御部１８２の機能を無効となるよう制御する。具体的には、モード切替部１８１は、第１切替指示を受け取ると、登録処理部１８３へ電力が供給され、照明制御部１８２へ電力が供給されないよう制御する。
【００２４】
モード切替部１８１は、操作部１３０から第２切替指示を受け取ると、登録処理部１８３の機能を無効と、照明制御部１８２の機能を有効となるよう制御する。具体的には、モード切替部１８１は、第２切替指示を受け取ると、照明制御部１８２へ電力が供給され、登録処理部１８３へ電力が供給されないよう制御する。
また、モード切替部１８１は、予め定められた期間において、操作部１３０から受け取った第１切替指示及び第２切替指示を、ＬＦ帯送受信部１４０を介して送信する。
【００２５】
（５−２）照明制御部１８２
照明制御部１８２は、通常モードに動作するものである。
照明制御部１８２は、所定の周期Ｔ０毎に１回、起動信号が発報されるようＬＦ帯送受信部１４０の動作を制御する。
照明制御部１８２は、小電力受信部１５０で自身宛の応答信号が受信されると、受信した応答信号に含まれる全ての照明識別子を取得する。
【００２６】
照明制御部１８２は、制御信号を、取得した照明識別子それぞれに対応する照明機器へＩ／Ｆ部１１０を介して送信する。
ここで、自身宛の応答信号であるかの判断は、応答信号に含まれるリーダ識別子が、自身が保持するリーダ識別子と同一である否かに基づいて行うことができる。
（５−３）登録処理部１８３
登録処理部１８３は、登録モード時に動作するものである。
【００２７】
登録処理部１８３は、登録モード時において、照明制御部１８２と同様に、所定の周期Ｔ０毎に１回、起動信号が発報されるようＬＦ帯送受信部１４０の動作を制御する。
登録処理部１８３は、小電力受信部１５０で自身宛の登録信号が受信されると、受信した登録信号が自身宛の場合に、現時点で点灯している全ての照明機器それぞれの照明識別子を、制御監視装置４０ａへ問い合わせる。そして、登録処理部１８３は、制御監視装置４０ａから現時点で点灯している全ての照明機器それぞれの照明識別子を取得する。
【００２８】
登録処理部１８３は、取得した照明識別子と、受信した登録信号に含まれるタグ識別子とを含む照明識別信号が送信されるようＬＦ帯送受信部１４０の動作を制御する。
ここで、自身宛の登録信号であるかの判断は、登録信号に含まれるリーダ識別子が、自身が保持するリーダ識別子と同一である否かに基づいて行うことができる。
１．３  タグ２０ａ〜２０ｄ
タグ２０ａ〜２０ｄの構成要素は同じであるので、タグ２０ａについてのみ説明する。
【００２９】
タグ２０ａは、図３に示すように、ＬＦ帯送受信部２１０、小電力送受信部（ＵＨＦ帯送受信部）２２０、メモリ２３０、ボタン２４０、通知部２５０、電池２６０及び制御部２７０から構成されている。
（１）ＬＦ帯送受信部２１０
ＬＦ帯送受信部２１０は、ＬＦアンテナ２１１を介して、タグリーダ１０ａ及び１０ｂからの起動信号、第１切替指示及び第２切替指示を受信して、受信した起動信号、第１切替指示及び第２切替指示を復調して制御部２７０に伝達する機能を有する。また、ＬＦ帯送受信部２１０は、制御部２７０から伝達されてきた信号を変調してＬＦアンテナ２１１を介して送信する機能をも有する。
【００３０】
（２）小電力送受信部２２０
小電力送受信部２２０は、制御部２７０から伝達されてきた応答信号、登録信号及び複写信号を変調してＵＨＦアンテナ２２１を介して送信する機能を有する。また、小電力送受信部２２０は、ＵＨＦアンテナ２２１を介して受信した複写信号を復調して制御部２７０へ伝達する機能を有する。なお、複写信号については、後述する。
【００３１】
（３）メモリ２３０
メモリ２３０は、自身に割り当てられたタグ識別子２３１及び照明情報テーブル２３２を記憶している。
照明情報テーブル２３２は、図４に示すように、リーダ識別子と照明識別子とを対応付けた組を複数個記憶するための領域を有している。
【００３２】
ここでは、タグ２０ａが登録信号を送信した送信先のＴＲのリーダ識別子と、当該送信先のＴＲから送信された全ての照明識別子（登録信号の送信時に点灯していた全ての照明機器の照明識別子）とが対応付けられて、照明情報テーブル２３２へ登録される。
（４）ボタン２４０
ボタン２４０は、ユーザからの操作を受け付けるボタンであり、ユーザの押下を受け付けた場合に、その旨を制御部２７０に伝達する機能を有する。
【００３３】
（５）通知部２５０
通知部２５０は、ＴＲ１０ａの化粧パネルに備えられたＬＥＤ（Ｌｉｇｈｔ  Ｅｍｉｔｔｉｎｇ  Ｄｉｏｄｅ：発光ダイオード）あるいはＬＣＤ（Ｌｉｑｕｉｄ  Ｃｒｙｓｔａｌ  Ｄｉｓｐｌａｙ：液晶ディスプレイ）を用いて、タグ識別子の登録に係る情報をユーザに通知する機能を有する。
【００３４】
（６）電池２６０
電池２６０は、ＵＨＦ帯で応答信号を送信するための電力を小電力送受信部２２０と制御部２７０に供給する機能を有する。
（７）制御部２７０
制御部２７０は、タグ２０ａの各部を制御する機能を有する。制御部２７０は、図３に示すように、モード切替部２７１、照明制御部２７２、登録処理部２７３及び複写部２７４を有している。
【００３５】
（７−１）モード切替部２７１
モード切替部２７１は、タグ２０ａにおける通常モードと登録モードとの切替を行うものである。
モード切替部２７１は、ＴＲ１０ａ及び１０ｂから第１切替信号を受信すると、登録処理部２７３の機能を有効と、照明制御部２７２の機能を無効となるよう制御する。具体的には、モード切替部２７１は、第１切替指示が受信されると、登録処理部２７３へ電力が供給され、照明制御部２７２へ電力が供給されないよう制御する。
【００３６】
モード切替部２７１は、ＴＲ１０ａ及び１０ｂから第２切替信号を受信すると、登録処理部２７３の機能を無効と、照明制御部２７２の機能を有効となるよう制御する。具体的には、モード切替部２７１は、第２切替指示が受信されると、照明制御部２７２へ電力が供給され、登録処理部２７３へ電力が供給されないよう制御する。
（７−２）照明制御部２７２
照明制御部２７２は、通常モード時における通信に係る制御を行うものである。
【００３７】
照明制御部２７２は、通常モード時において、ＬＦ帯送受信部２１０から伝達されてきた起動信号に含まれるリーダ識別子が、照明情報テーブル２３２に保持されているか否かを判断する。
保持されていると判断する場合には、照明制御部２７２は、当該リーダ識別子に対応付けられた全ての照明識別子を照明情報テーブル２３２から取得する。照明制御部２７２は、取得した全ての照明識別子と、当該リーダ識別子とを含む応答信号を小電力送受信部２２０を介して送信する。
【００３８】
保持されていないと判断する場合には、照明制御部２７２は、処理は行わない。
（７−３）登録処理部２７３
登録処理部２７３は、登録モード時における通信に係る制御を行うものである。
登録処理部２７３は、登録モード時において、ＬＦ帯送受信部２１０から伝達されてきた起動信号に含まれるリーダ識別子を一時的に保持する。
【００３９】
登録処理部２７３は、ユーザによるボタン２４０の操作により登録を行う旨の指示を受け付けると、自身のタグ識別子２３１と、一時的に記憶しているリーダ識別子とを含む登録信号を小電力送受信部２２０を介して送信する。なお、本実施の形態においては、ユーザは、登録の指示を行う場合には、所望する照明の制御を行っているＴＲの近くで行うものとする。
【００４０】
登録処理部２７３は、登録信号の送信先であるＴＲから照明識別信号を受信すると、当該照明識別信号に含まれる全ての照明識別子と、一時的に記憶しているリーダ識別子とを対応付けて照明情報テーブル２３２へ書き込む（登録する）。
（７−４）複写部２７４
複写部２７４は、自身が保持している照明情報テーブル２３２の内容を、他のタグへコピーする制御を行うものである。
【００４１】
複写部２７４は、ユーザによるボタン２４０の操作によりコピー（複写）を行う旨の指示を受け付けると、照明情報テーブル２３２で保持されている内容（リーダ識別子と照明識別子とからなる全ての組）をメモリ２３０から取得する。
複写部２７４は、取得した照明情報テーブル２３２で保持されている内容を含む複写信号を、小電力送受信部２２０を介して送信する。
【００４２】
また、複写部２７４は、他のタグから複写信号を受信すると、受信した複写信号に含まれる内容（リーダ識別子と照明識別子とからなる全ての組）をメモリ２３０の照明情報テーブル２３２へ書き込む。
１．４  動作
（１）照明制御時の動作概要
ここでは、タグリーダ（ＴＲ）１０ａ、タグ２０ａ及び照明機器３０ａを用いて、照明制御システム１の通常モード時における照明制御の動作概要について、図５に示す流れ図を用いて説明する。
【００４３】
タグリーダ１０ａは、通常モード時において、周期Ｔ０内に１回、起動信号を発報する（ステップＳ５）。
タグ２０ａは、起動信号を受信すると、受信した起動信号に含まれるリーダ識別子が登録されている場合には、当該リーダ識別子に対応付けられた全ての照明識別子を含む応答信号を、ＵＨＦ帯でタグリーダ１０ａへ送信する（ステップＳ１０）。
【００４４】
タグリーダ１０ａは、タグ２０ａから応答信号を受信した後、当該応答信号に含まれる照明識別子それぞれに対応する照明機器（図５では、照明機器３０ａ）へ制御信号を送信する（ステップＳ１５）。このとき、照明機器３０ａにおいては、点灯に係る制御がなされる。
（２）登録時の動作概要
ここでは、タグリーダ１０ａ、タグ２０ａ及び照明機器３０ａを用いて、照明制御システム１の通常モード時における登録処理の動作概要について、図６に示す流れ図を用いて説明する。
【００４５】
タグリーダ１０ａは、登録モード時において周期Ｔ０内に１回、起動信号を発報する（ステップＳ５０）。
タグ２０ａは、起動信号を受信すると、受信した起動信号に含まれるリーダ識別子を一時的に記憶し、ユーザから登録指示を受け付けると（ステップＳ６０）、登録信号をＴＲ１０ａへ送信する（ステップＳ５５）。
【００４６】
タグリーダ１０ａは、タグ２０ａから登録信号を受信すると、その時点で、点灯している全ての照明機器それぞれの照明識別子を含む照明識別信号をタグ２０ａへ送信する（ステップＳ６０）。
（３）通常モード時のタグの動作について
ここでは、タグ２０ａの通常モード時に起動信号を受信した場合のタグ側の動作について、図７で示す流れ図を用いて説明する。
【００４７】
制御部２７０の照明制御部２７２は、ＬＦ帯送受信部２１０で起動信号を受信したか否かを判断する（ステップＳ１００）。
起動信号を受信したと判断する場合には（ステップＳ１００における「Ｙｅｓ」）、照明制御部２７２は、受信された起動信号に含まれるリーダ識別子が、照明情報テーブル２３２に保持されているか否かを判断する（ステップＳ１０５）。
【００４８】
起動信号を受信していないと判断する場合（ステップＳ１００における「Ｎｏ」）、及び受信されたリーダ識別子が照明情報テーブル２３２に保持されていないと判断する場合（ステップＳ１０５のおける「Ｎｏ」）、処理はステップＳ１００へ戻る。
照明制御部２７２で受信したリーダ識別子が保持されていると判断される場合には（ステップＳ１０５における「Ｙｅｓ」）、照明制御部２７２は、当該リーダ識別子に対応付けられた全ての照明識別子を取得する（ステップＳ１１０）。
【００４９】
照明制御部２７２は、取得した全ての照明識別子と、受信したリーダ識別子とを含む応答信号を送信する（ステップＳ１１５）。
（４）登録モード時のタグの動作について
ここでは、タグ２０ａの登録モード時の動作について図８で示す流れ図を用いて説明する。
【００５０】
登録処理部２７３は、登録モード時において、受信した起動信号に含まれるリーダ識別子を一時的に保持すると、ユーザによるボタン２４０の操作により登録指示を受け付けたか否かを判断する（ステップＳ１５０）。
登録指示を受け付けたと判断する場合（ステップＳ１５０における「Ｙｅｓ」）、登録処理部２７３は、自身のタグ識別子２３１と、一時的に記憶しているリーダ識別子とを含む登録信号を小電力送受信部２２０を介して送信する（ステップＳ１５５）。
【００５１】
登録処理部２７３は、登録信号の送信先であるＴＲから照明識別信号を受信すると（ステップＳ１６０）、当該照明識別信号に含まれる全ての照明識別子と、一時的に記憶しているリーダ識別子とを対応付けて照明情報テーブル２３２へ登録する（ステップＳ１６５）。
（５）登録モード時のタグリーダの動作について
ここでは、ＴＲ１０ａの登録モード時の動作について図９で示す流れ図を用いて説明する。
【００５２】
登録処理部１８３は、登録モード時において、所定の周期Ｔ０毎に１回、起動信号が発報されるようＬＦ帯送受信部１４０の動作を制御している際に、小電力受信部１５０で自身宛の登録信号を受信したか否かを判断する（ステップＳ２００）。
自身宛の登録信号を受信していないと判断する場合（ステップＳ２００における「Ｎｏ」）、処理はステップＳ２００へ戻る。
【００５３】
自身宛の登録信号を受信したと判断する場合（ステップＳ２００における「Ｙｅｓ」）、登録処理部１８３は、現時点で点灯している全ての照明機器それぞれの照明識別子を、制御監視装置４０ａから取得する（ステップＳ２０５）。
登録処理部１８３は、取得した全ての照明識別子と、受信した登録信号に含まれるタグ識別子とを含む照明識別信号をＬＦ帯送受信部１４０を介して送信する（ステップＳ２１０）。
【００５４】
（６）複写処理
ここでは、タグ２０ａと２０ｂと間における複写について、図１０に示す流れ図を用いて説明する。なお、タグ２０ａの構成要素とタグ２０ｂの構成要素とを区別するため、説明の便宜上、タグ２０ｂの構成要素の符号の末尾に“ｂ”を付与する。
タグ２０ａの複写部２７４は、ユーザによるボタン２４０の操作により複写指示を受け付けると（ステップＳ２５０）、照明情報テーブル２３２で保持されている内容（リーダ識別子と照明識別子とからなる全ての組）をメモリ２３０から取得する（ステップＳ２５５）。
【００５５】
複写部２７４は、取得した照明情報テーブル２３２で保持されている内容とを含む複写信号を、小電力送受信部２２０を介して送信する（ステップＳ２６０）。
タグ２０ｂの複写部２７４ｂは、タグ２０ａから送信された複写信号を受信すると（ステップＳ２６５）、受信した複写信号に含まれる内容（リーダ識別子と照明識別子とからなる全ての組）をメモリ２３０ｂの照明情報テーブル２３２ｂへ登録する（ステップＳ２７０）。
【００５６】
２．第２の実施の形態
ここでは、第１の実施の形態における照明制御システム１の変形例について説明する。
上記第１の実施の形態では、制御を所望する照明識別子をタグが記憶していたが、本第２の実施の形態では、制御を所望する照明識別子をタグリーダ側で記憶する点が異なる。
以下、機能について詳細に説明するが、ＴＲ及びタグとも第１の実施の形態と同様の機能である構成要素については、同一の符号を付し、ここでの説明は省略する。
【００５７】
ここでは、本第２の実施の形態に係るタグリーダ１０１０、及びタグ１０２０について、第１の実施の形態にて示したタグとの相違点を中心に説明する。
なお、本第２の実施の形態においても、第１の実施の形態と同様に、通常モードと登録モードがあるものとする。これらモード時の概要は、第１の実施の形態と同様であるので、ここでの説明は省略する。
【００５８】
２．１  各信号について
ここでは、ＴＲ１０１０とタグ１０２０との間で送受信される信号について説明する。
通常モードにおいては、ＴＲ１０１０から第１の実施の形態と同様の起動信号が送信される。そして、起動信号を受信したタグ１０２０からは、第１の実施の形態とは異なる応答信号が送信される。本実施の形態における応答信号には、宛先を示すためのリーダ識別子と、送信元を示すためのタグ識別子とが含まれる。
【００５９】
登録モード時においては、ＴＲ１０１０から第１の実施の形態と同様の起動信号が送信される。そして、起動信号を受信したタグ１０２０からも、第１の実施の形態と同様の登録信号が送信される。
２．２  タグリーダ１０１０
タグリーダ１０１０は、図１１に示すように、Ｉ／Ｆ（ＩｎｔｅｒＦａｃｅ）部１１０と、操作部１３０と、ＬＦ帯送受信部１４０と、小電力送受信部（ＵＨＦ帯送受信部）１１５０と、記憶部１１７０と、制御部１１８０とから構成される。
【００６０】
Ｉ／Ｆ（ＩｎｔｅｒＦａｃｅ）部１１０と、操作部１３０と、ＬＦ帯送受信部１４０と、小電力受信部（ＵＨＦ帯受信部）１５０とについては、第１の実施の形態と同様であるので、ここでの説明は省略する。
（１）記憶部１１７０
記憶部１１７０は、図１１に示すように、照明情報テーブル１１７１を記憶している。
【００６１】
照明情報テーブル２３２は、図１２に示すように、タグ識別子と照明識別子とを対応付けた組を複数個記憶するための領域を有している。
ここでは、登録信号を送信したタグのタグ識別子と、登録信号の受信時に点灯していた全ての照明機器の照明識別子とが対応付けられて、照明情報テーブル２３２へ登録される。
【００６２】
（２）制御部１１８０
制御部１１８０は、予め記憶されているプログラムを実行することによりタグリーダ１０１０の各部を制御する機能を有する。
制御部１１８０は、図１１に示すように、モード切替部１８１、照明制御部１１８２、登録処理部１１８３及び複写部１１８４を含んでいる。
【００６３】
（２−１）モード切替部１１８１
モード切替部１１８１は、第１の実施の形態で示すモード切替部１８１と同様であるので、ここでの説明は省略する。
（２−２）照明制御部１１８２
照明制御部１１８２は、通常モードに動作するものである。
【００６４】
照明制御部１１８２は、所定の周期Ｔ０毎に１回、起動信号が発報されるようＬＦ帯送受信部１４０の動作を制御する。
照明制御部１１８２は、小電力受信部１５０で自身宛の応答信号が受信されると、受信した応答信号に含まれるタグ識別子を取得する。
照明制御部１１８２は、取得したタグ識別子が照明情報テーブル１１７１に含まれているか否かを判断する。
【００６５】
取得したタグ識別子が照明情報テーブル１１７１に含まれていると判断する場合には、照明制御部１１８２は、当該タグ識別子に対応する全ての照明識別子を照明情報テーブル１１７１から取得する。照明制御部１１８２は、制御信号を、取得した全ての照明識別子それぞれに対応する照明機器へＩ／Ｆ部１１０を介して送信する。
取得したタグ識別子が照明情報テーブル１１７１に含まれていないと判断する場合には、照明制御部１１８２は、照明制御に係る処理は行わない。
【００６６】
（２−３）登録処理部１１８３
登録処理部１１８３は、登録モード時に動作するものである。
登録処理部１１８３は、登録モード時において、照明制御部１１８２と同様に、所定の周期Ｔ０毎に１回、起動信号が発報されるようＬＦ帯送受信部１４０の動作を制御する。
登録処理部１１８３は、小電力受信部１５０で自身宛の登録信号が受信されると、受信した登録信号が自身宛の場合に、現時点で点灯している全ての照明機器それぞれの照明識別子を、制御監視装置４０ａへ問い合わせる。そして、登録処理部１１８３は、制御監視装置４０ａから現時点で点灯している全ての照明機器それぞれの照明識別子を取得する。
【００６７】
登録処理部１１８３は、取得した照明識別子と、受信した登録信号に含まれるタグ識別子とを対応付けて、照明情報テーブル１１７１へ書き込む（登録する）。
（２−４）複写部１１８４
複写部１１８４は、自身が保持している照明情報テーブル１１７１の内容を、他のタグリーダへコピーする制御を行うものである。
【００６８】
複写部１１８４は、ユーザによる操作部１３０の操作によりコピー（複写）を行う旨の指示を受け付けると、照明情報テーブル１１７１で保持されている内容（リーダ識別子と照明識別子とからなる全ての組）を記憶部１１７０から取得する。
複写部１１８４は、取得した照明情報テーブル１１７１で保持されている内容とを含む複写信号を、小電力送受信部１１５０を介して送信する。
【００６９】
また、複写部１１８４は、他のタグリーダから複写信号を受信すると、受信した複写信号に含まれる内容（リーダ識別子と照明識別子とからなる全ての組）を記憶部１１７０の照明情報テーブル１１７１へ書き込む。
（３）小電力送受信部１１５０
小電力送受信部１１５０は、タグ１０２０からの信号をＵＨＦ帯でＵＨＦアンテナ１５１を介して受信し、受信した信号を復調して制御部１１８０に伝達する機能を有する。具体的には、タグ１０２０から送信された応答信号及び登録信号を受信し、受信した応答信号及び登録信号を復調して制御部１１８０へ伝達する。
【００７０】
また、小電力送受信部１１５０は、ＵＨＦアンテナ２２１を介して受信した複写信号を復調して制御部２７０へ伝達する機能を有する。さらに、小電力送受信部１１５０は、複写信号を変調してＵＨＦアンテナ２２１を介して送信する機能を有する。
２．３  タグの構成
本第２の実施の形態に係るタグ１０２０は、図１３に示すように、ＬＦ帯送受信部２１０、小電力送信部（ＵＨＦ帯送信部）１２２０、メモリ１２３０、ボタン２４０、通知部２５０、電池２６０及び制御部１２７０から構成されている。
【００７１】
（１）小電力送信部１２２０
小電力送信部１２２０は、第１の実施の形態で示す小電力送受信部２２０のうち受信機能のみを有するものである。具体的には、小電力送信部１２２０は、制御部１２７０から伝達されてきた応答信号及び登録信号を変調してＵＨＦアンテナ２２１を介して送信する。
【００７２】
（２）メモリ１２３０
メモリ１２３０は、第１の実施の形態と同様のタグ識別子２３１を有している。
（３）制御部１２７０
制御部１２７０は、タグ１０２０の各部を制御する機能を有する。制御部１２７０は、図１３に示すように、モード切替部１２７１、照明制御部１２７２及び登録処理部１２７３から構成されている。
【００７３】
（３−１）モード切替部１２７１
モード切替部１２７１は、第１の実施の形態で示すモード切替部２７１と同様であるので、ここでの説明は省略する。
（３−２）照明制御部１２７２
照明制御部１２７２は、通常モード時における通信に係る制御を行うものである。
【００７４】
照明制御部１２７２は、通常モード時において、ＬＦ帯送受信部２１０から伝達されてきた起動信号に含まれるリーダ識別子を取得する。
照明制御部１２７２は、取得したリーダ識別子と、タグ識別子２３１とを含む応答信号を小電力送信部１２２０を介して送信する。
（１−３）登録処理部１２７３
登録処理部１２７３は、登録モード時における通信に係る制御を行うものである。
【００７５】
登録処理部１２７３は、登録モード時において、ＬＦ帯送受信部２１０から伝達されてきた起動信号に含まれるリーダ識別子を一時的に保持する。
登録処理部１２７３は、ユーザによるボタン２４０の操作により登録を行う旨の指示を受け付けると、自身のタグ識別子２３１と、一時的に記憶しているリーダ識別子とを含む登録信号を小電力送信部１２２０を介して送信する。なお、本実施の形態においては、ユーザは、登録の指示を行う場合には、所望する照明の制御を行っているＴＲの近くで行うものとする。
【００７６】
２．２  動作
ここでは、タグリーダ１０１０及びタグ１０２０の動作について説明する。
（１）照明制御時の動作概要
ここでは、通常モード時における照明制御の動作概要について説明する。
第２の実施の形態における照明制御の処理概念は、第１の実施の形態の図５に示す流れ図と同様であるので、ここでの説明は省略する。
【００７７】
（２）登録時の動作概要
本第２の実施の形態における登録時の処理概要は、図６で示すステップＳ５０、Ｓ５５を実行、つまり起動信号と登録信号の送受信がなされる。
（３）通常モード時のタグリーダ１０１０の動作について
ここでは、通常モード時に、応答信号を受信したタグリーダ１０１０の動作について、図１４で示す流れ図を用いて説明する。
【００７８】
制御部１１８０の照明制御部１１８２は、小電力送受信部１１５０で応答信号を受信したか否かを判断する（ステップＳ３００）。
応答信号を受信したと判断する場合には（ステップＳ３００における「Ｙｅｓ」）、照明制御部１１８２は、受信された応答信号に含まれるタグ識別子が、照明情報テーブル１１７１に保持されているか否かを判断する（ステップＳ３０５）。
【００７９】
応答信号を受信していないと判断する場合（ステップＳ３００における「Ｎｏ」）、及び受信されたリーダ識別子が照明情報テーブル１１７１に保持されていないと判断する場合（ステップＳ３０５のおける「Ｎｏ」）、処理はステップＳ３００へ戻る。
照明制御部１１８２で受信したタグ識別子が保持されていると判断される場合には（ステップＳ３０５における「Ｙｅｓ」）、照明制御部１１８２は、当該タグ識別子に対応付けられた全ての照明識別子を取得する（ステップＳ３１０）。
【００８０】
照明制御部１１８２は、取得した全ての照明識別子それぞれが示す照明機器に制御信号を送信する（ステップＳ３１５）。
（４）登録モード時のタグ１０２０の動作について
ここでは、タグ１０２０の登録モード時の動作について図１５で示す流れ図を用いて説明する。
【００８１】
登録処理部１２７３は、登録モード時において、受信した起動信号に含まれるリーダ識別子を一時的に保持すると、ユーザによるボタン２４０の操作により登録指示を受け付けたか否かを判断する（ステップＳ３５０）。
登録指示を受け付けたと判断する場合（ステップＳ３５０における「Ｙｅｓ」）、登録処理部１２７３は、自身のタグ識別子２３１と、一時的に記憶しているリーダ識別子とを含む登録信号を小電力送受信部２２０を介して送信する（ステップＳ３５５）。
【００８２】
（５）登録モード時のタグリーダ１０１０の動作について
ここでは、ＴＲ１０１０の登録モード時の動作について図１６で示す流れ図を用いて説明する。
登録処理部１１８３は、登録モード時において、所定の周期Ｔ０毎に１回、起動信号が発報されるようＬＦ帯送受信部１４０の動作を制御している際に、小電力送受信部１１５０で自身宛の登録信号を受信したか否かを判断する（ステップＳ４００）。
【００８３】
自身宛の登録信号を受信していないと判断する場合（ステップＳ４００における「Ｎｏ」）、処理はステップＳ４００へ戻る。
自身宛の登録信号を受信したと判断する場合（ステップＳ４００における「Ｙｅｓ」）、登録処理部１１８３は、受信した登録信号に含まれるタグ識別子を一時的に記憶するとともに、現時点で点灯している全ての照明機器それぞれの照明識別子を、制御監視装置４０ａから取得する（ステップＳ４０５）。
【００８４】
登録処理部１１８３は、取得した照明識別子と、一時的に記憶しているタグ識別子とを対応付けて照明情報テーブル１１７１へ登録する（ステップＳ４１０）。
（６）複写処理
ここでは、タグリーダ１０１０と他のタグリーダと間における複写について、図１７に示す流れ図を用いて説明する。
【００８５】
タグリーダ１０１０の複写部１１８４は、ユーザによる操作部１３０の操作により複写指示を受け付けると（ステップＳ４５０）、照明情報テーブル１１７１で保持されている内容（リーダ識別子と照明識別子とからなる全ての組）を記憶部１１７０から取得する（ステップＳ４５５）。
複写部１１８４は、取得した照明情報テーブル１１７１で保持されている内容を含む複写信号を、小電力送受信部１１５０を介して送信する（ステップＳ４６０）。
【００８６】
他のタグリーダの複写部は、タグリーダ１０１０から送信された複写信号を受信すると（ステップＳ４６５）、受信した複写信号に含まれる内容（リーダ識別子と照明識別子とからなる全ての組）を記憶部１１７０の照明情報テーブルへ登録する（ステップＳ４７０）。
３．変形例
上記第１及び第２の実施の形態において、本発明の実施の手法について説明してきたが、本発明の実施形態がこれらに限られないことは勿論である。以下、上記実施形態以外に本発明として含まれる各種の変形例について説明する。
【００８７】
（１）上記各実施の形態において、制御監視装置４０ａ、４０ｂが、接続された各照明機器のうち１つ以上の照明機器からなる複数の組み合わせを予め記憶しているとしたが、これに限定されない。
タグリーダ１０ａ、１０ｂが、複数の組み合わせを予め記憶しておき、登録モード時においては、タグリーダ１０ａ、１０ｂが、記憶している複数の組み合わせ毎に点灯及び消灯を繰り返すよう制御してもよい。
【００８８】
（２）上記各実施の形態において、制御監視装置４０ａ、４０ｂが、登録モード時において、予め記憶している、複数の集合（組み合わせ）毎に点灯及び消灯を繰り返すよう制御したが、これに限定されない。
制御監視装置４０ａ、４０ｂは、接続されている照明機器毎に、順次点灯及び消灯を繰り返すよう制御してもよい。この場合、例えば、タグ２０ａのユーザは、制御を所望する一の照明機器が点灯している間に、タグ２０ａのボタン２４０を操作して登録指示を行う。ユーザは、この登録指示を、制御を所望する照明機器毎に、当該照明機器が点灯している間に行う。
【００８９】
または、制御監視装置４０ａ、４０ｂが、接続されている照明機器毎に、順次点灯及び消灯を繰り返すよう制御する代わりに、タグリーダ１０ａ、１０ｂが当該制御を行ってもよい。
（３）上記第１の実施の形態において、２つのタグ間での複写処理を無線通信で行ったが、これに限定されない。
【００９０】
２つのタグをケーブルで接続して複写処理を有線通信で行ってもよいし、他の記録媒体や、装置を介在させて複写処理を行ってもよい。
装置を介在させて行う場合には、例えば、タグリーダ１０ａを用いる。
この場合、複写元であるタグ２０ａは、複写信号をタグリーダ１０ａへ、ＵＨＦ帯で送信する。タグリーダ１０ａは、複写信号を受信すると、当該複写信号に含まれるリーダ識別子と照明識別子とからなる全ての組を取得する。タグリーダ１０ａは、取得したリーダ識別子と照明識別子とからなる全ての組を含む配信信号を、ＬＦ帯で送信する。そして、複写先である他のタグは、配信信号を受信すると、当該配信信号に含まれるリーダ識別子と照明識別子とからなる全ての組を照明情報テーブルへ登録する。
【００９１】
（４）上記第２の実施の形態において、２つのタグリーダ間での複写処理を無線通信で行ったが、これに限定されない。
２つのタグリーダをケーブルで接続して複写処理を有線通信で行ってもよいし、他の記録媒体や、装置を介在させて複写処理を行ってもよい。
装置を介在させて行う場合には、例えば、タグ２０ａを用いる。
【００９２】
この場合、複写元であるタグリーダ１０ａは、複写信号をタグ２０ａへ、ＬＦ帯で送信する。タグ２０ａは、複写信号を受信すると、当該複写信号に含まれるリーダ識別子と照明識別子とからなる全ての組を取得する。タグ２０ａは、取得したリーダ識別子と照明識別子とからなる全ての組を含む配信信号を、ＵＨＦ帯で送信する。そして、複写先である他のタグリーダは、配信信号を受信すると、当該配信信号に含まれるリーダ識別子と照明識別子とからなる全ての組を照明情報テーブルへ登録する。
【００９３】
（５）上記第１の実施の形態では、タグリーダ１０ａ、１０ｂは、タグから登録信号を受信した場合に、当該登録信号の送信元のタグを宛先として照明識別信号を送信したが、これに限定されない。
タグリーダ１０ａ、１０ｂは、タグから登録信号を受信する代わりに、以下のように、照明識別信号の送信を制御してもよい。
【００９４】
タグリーダ１０ａ、１０ｂは、１つ以上の照明機器から構成される複数の集合（組み合わせ）毎に点灯及び消灯を繰り返すよう制御している間に、点灯中の全ての照明機器に係る照明識別信号を定期的にＬＦ帯で送信する。
この場合、タグ側では（例えば、タグ１０ａ）、照明識別信号を受信すると、当該照明識別信号に含まれるリーダ識別子と、点灯中の全ての照明機器それぞれに対する照明識別子とを対応付けて、照明情報テーブル２３２へ登録する。
【００９５】
（６）上記第２の実施の形態では、タグリーダ１０ａ、１０ｂは、タグから登録信号を受信した場合に、受信した登録信号に含まれるタグ識別子と、受信時点で点灯中の全ての照明識別子とを対応付けたが、これに限定されない。
登録モード時において、タグリーダとタグとの間で、起動信号及び応答信号を送受信し合うことで、タグ識別子と、照明識別子とを対応付けてもよい。ここで、登録モード時における応答信号には、リーダ識別子と、タグ識別子とが含まれている。
【００９６】
この場合、例えば、タグリーダ１０ａは、タグ２０ａから自身宛の応答信号を受信すると、受信した時点で、点灯中の全ての照明識別子を特定し、特定した照明識別子と、受信した応答信号に含まれるタグ識別子とを対応付けて、照明情報テーブル１１７１へ登録する。
（７）上記実施の形態において、点灯に係る制御として、電源をオンにする制御を一例として挙げたが、これに限定されない。
【００９７】
例えば、タグリーダは、ある一定期間の間（例えば、５分間）、受信した応答信号に含まれるタグ識別子のうち、認証情報テーブルに含まれるタグ識別子と一致した件数をカウントしておき、カウントした値に応じて照明の照度を調整する（調光する）よう制御してもよい。なお、本発明における点灯に係る制御の概念には、調光するよう制御することも含める。
【００９８】
また、ある一定期間の間、応答信号を全く受信しない場合においては、タグリーダは、照明の消灯に係る制御信号を送信してもよい。
（８）上記各実施の形態において、タグリーダ１０ａは、タグから登録信号を受信すると、現時点で点灯している全ての照明機器それぞれに対する照明識別子を制御監視装置４０ａから取得したが、これに限定されない。
【００９９】
照明識別子は、点灯時において、制御監視装置４０ａからタグリーダ１０ａへ予め通知されていてもよい。
または、照明機器３０ａ〜３０ｅは予め自身の照明識別子を記憶しており、タグリーダ１０ａは、登録信号を受信すると、現在点灯している全ての照明機器それぞれから当該照明機器の照明識別子を取得してもよい。
【０１００】
（９）上記第２の実施の形態において、タグリーダ１０ａが複写処理を行う場合、複写信号をＵＨＦ帯で送信している。つまり、複写処理においては、ＵＨＦ帯で通信可能な範囲に存在する他のタグリーダが複写先としている。しかしながら、これに限定されない。
複写処理において、複写先のタグリーダの指定を受け付け、受け付けたタグリーダを宛先とする複写信号を送信してもよい。ここで、複写先のタグリーダの指定は、例えば、複写先のタグリーダのリーダ識別子を指定することである。
【０１０１】
（１０）上記各実施の形態において、複写処理では、照明情報テーブルに保持されている内容全てを複写の対象としたが、これに限定されない。
照明情報テーブルに保持されている内容の一部を複写の対象としてもよい。
（１１）上記各実施の形態において、起動信号はＬＦ帯で、応答信号及び登録信号はＵＨＦ帯でそれぞれ送受信されるとしたが、これに限定されない。
【０１０２】
起動信号、応答信号及び登録信号は同じ周波数帯（例えば、ＬＦ帯）で送受信されてもよい。
また、タグ間での複写処理において、タグリーダが介在する場合には、複写元のタグからタグリーダへ複写信号を送信する場合には、ＬＦ帯で送信してもよい。
また、タグリーダ間での複写処理においても、複写信号をＬＦ帯で送信受信してもよい。
【０１０３】
（１２）上記実施の形態において、通常モードと登録モードの切り替えは、タグリーダの操作部による操作で行われるとしたが、これに限定されない。
（１２−１）タグの操作により、モードの切り替えを行ってもよい。
この場合、タグは、通常モードから登録モードへの切替指示を受け付けると、通常モードから登録モードへの切替を指示する第１切替指示を、ＵＨＦ帯でタグリーダへ送信する。このとき、タグは、登録処理部２７３の機能を有効と、照明制御部２７２の機能を無効となるよう制御する。
【０１０４】
また、タグは、登録モードから通常モードへの切替の指示を受け付けると、登録モードから通常モードへの切替を指示する第２切替指示を制御部１８０へ通知する。このとき、タグは、登録処理部２７３の機能を無効と、照明制御部２７２の機能を有効となるよう制御する。
タグリーダは、第１切替指示を受信すると、登録処理部１８３の機能を有効と、照明制御部１８２の機能を無効となるよう制御する。また、タグリーダは、予め定められた時間の間、第１切替指示を他のタグが受信するよう、ＬＦ帯で送信する。このとき、他のタグは、第１切替指示を受け取ると、登録処理部２７３の機能を有効と、照明制御部２７２の機能を無効となるよう制御する。
【０１０５】
タグリーダは、第２切替指示を受信すると、登録処理部１８３の機能を無効と、照明制御部１８２の機能を有効となるよう制御する。また、タグリーダは、予め定められた時間の間、第２切替指示を他のタグが受信するよう、ＬＦ帯で送信する。このとき、他のタグは、第２切替指示を受け取ると、登録処理部２７３の機能を無効と、照明制御部２７２の機能を有効となるよう制御する。
【０１０６】
なお、タグリーダにより制御監視装置に対する制御は、上記実施の形態と同様であるので、ここでの説明は省略する。
（１２−２）制御監視装置若しくは他の装置がモードの切り替えを行ってもよい。
例えば、制御監視装置が行う場合には、第１切替指示及び第２切替指示をタグリーダへ送信する。タグリーダは、第１切替指示及び第２切替指示を受信すると、上記実施の形態と同様に、第１切替指示及び第２切替指示を、予め定められた時間の間、ＬＦ帯で送信する。
【０１０７】
なお、タグにおいては、上記実施の形態と同様の動作であるので、ここでの説明は省略する。
（１３）上記の実施の形態において、リーダ識別子の一例としてＭＡＣアドレスを挙げたが、これに限定されない。
リーダ識別子は、ＴＲを識別するためのものであればよい。例えば、他の例として、ＩＰアドレスや、予め一意に割り当てられたＩＤである。
【０１０８】
また、タグ識別子においても同様に、タグを識別するためのものであればよい。例えば、ＭＡＣアドレス、ＩＰアドレスや、予め一意に割り当てられたＩＤである。
また、照明識別子においても同様に、照明機器を識別するためのものであればよい。例えば、ＭＡＣアドレス、ＩＰアドレスや、予め一意に割り当てられたＩＤである。
（１４）上記実施の形態において、登録指示はボタンから行うものとしたが、これに限定されない。
【０１０９】
音声により登録指示を受け付けてもよい。つまり、タグは、登録指示を受け付けることのできる機構であれば、どのような機構であってもよい。  
（１５）上記の実施の形態で説明した手法は装置や集積回路で実現されてもよい。また、上記の手法の手順を記述したプログラムをメモリに記憶しておき、ＣＰＵ（Ｃｅｎｔｒａｌ  Ｐｒｏｃｅｓｓｉｎｇ  Ｕｎｉｔ）などがメモリからプログラムを読み出して、読み出したプログラムを実行することによって、上記の手法が実現されるようにしてもよい。
【０１１０】
（１６）上記の実施の形態で説明した手法の手順を記述したプログラムを記録媒体に格納して、頒布するようにしてもよい。
（１７）上記実施の形態及び上記変形例をそれぞれ組み合わせるとしてもよい。
（１８）本発明における特定手段による特定とは、第１の実施の形態における照明制御部１８２が応答信号に含まれる全ての照明識別子を取得する概念と、第２の実施の形態における照明制御部１１８２が応答信号に含まれるタグ識別子に対応する全ての照明識別子を照明情報テーブル１１７１から取得する概念とを含むものである。
【０１１１】
また、本発明における関連付けとは、第１の実施の形態における登録処理部２７３による照明識別子の照明情報テーブル２３２への登録の概念と、第２の実施の形態における登録処理部１１８３による照明識別子の照明情報テーブル１１７１への登録の概念を含むものである。
また、本発明における第１信号とは、第１及び第２の実施の形態における応答信号に相当する。さらに、本発明における第２信号とは、第１及び第２の実施の形態における制御信号に相当する。
【０１１２】
４．補足
（１）本発明の一実施態様である、照明制御システムは、第１信号を無線で送信する第１送信手段を備えるタグと、前記第１信号を受信すると、有線接続された複数の照明機器それぞれを識別する照明識別子のうち、前記タグと関連付けられた照明識別子から制御すべき照明機器を特定する特定手段、及び特定された照明機器に点灯に係る第２信号を送信する第２送信手段を備えるタグリーダとから構成されることを特徴とする。
【０１１３】
この構成によると、照明制御システムは、タグリーダにおいて第１信号を受信すると、受信した第１信号を送信したタグと関連付けられた照明器具に点灯に係る制御を行う。これにより、照明制御システムは、照明機器の制御を人の操作を介することなく行うことができる。
（２）ここで、前記照明制御システムには、照明機器の点灯に係る制御を行う通常モードと、タグに対して関連付けを行う登録モードとがあり、前記複数の照明機器は、前記登録モードにおいて、当該複数の照明機器のうち１つ以上の照明機器からなる集合毎に点灯及び消灯を繰り返すよう制御され、前記タグリーダは、さらに、一の集合について点灯がされるよう制御されている間に、前記タグからの指示により、当該一の集合を構成する照明機器の照明識別子と前記タグとの間における関連付けに係る処理を行う処理手段を備えるとしてもよい。
【０１１４】
または、前記照明制御システムには、照明機器の点灯に係る制御を行う通常モードと、タグに対して関連付けを行う登録モードとがあり、前記照明制御システムは、さらに、前記複数の照明機器は、前記登録モードにおいて前記照明機器毎に点灯及び消灯を繰り返すよう制御され、前記タグリーダは、さらに、前記照明機器が点灯されるよう制御されている間に、前記タグからの指示がある度に、前記指示を受け付けた時点で点灯している照明機器と、当該タグとの関連付けに係る処理を行う処理手段を備えるとしてもよい。
【０１１５】
これらの構成によると、通常モードにおいてタグの所有者が所望する照明機器の制御を行うために、登録モードにおいて、所有者が制御を所望する照明機器が点灯している間に、タグが指示することにより、当該タグと点灯中の照明機器との関連付けが行われる。これにより、タグの所有者は、接続されたタグリーダや所望する照明機器のアドレス管理を行わなくても、通常モードで制御を所望する照明機器に対する照明識別子のタグへの登録を容易に行うことができる。また、登録モードで照明機器との関連付けが行われることで、タグの所有者は、通常モード時において関連付けがなされた照明機器の制御を行うことができるようになる。
【０１１６】
（３）ここで、前記タグは、ユーザから関連付けを行う旨の関連付け指示を受け付ける受付手段を備え、前記送信手段は、さらに、前記関連付け指示を前記タグリーダへ送信し、前記処理手段は、前記関連付け指示が受信されると、前記関連付けに係る処理を行うとしてもよい。
この構成によると、タグリーダは、タグからの指示により関連付けに係る処理を行うタイミングを知るので、タグの所有者が制御を所望する照明機器の照明識別子との関連付けを確実に行うことができる。つまり、タグリーダは、誤った関連付けを防止し、さらには、通常モード時における誤った照明制御をも防止することができる。
【０１１７】
（４）ここで、前記処理手段は、前記関連付け指示を送信したタグへ、前記一の集合を構成する照明識別子を送信することで、前記関連付けに係る処理を行い、前記タグは、さらに、記憶手段と、前記タグリーダから前記照明識別子を受信する受信手段と、
前記受信手段で受信された前記照明識別子を前記記憶手段へ登録する登録手段とを備え、前記第１信号には、前記記憶手段で記憶されている全ての照明識別子を含み、前記特定手段による特定とは、前記第１信号に含まれる照明識別子の取得である  としてもよい。
【０１１８】
この構成によると、タグは、記憶手段に照明識別子を登録することで、当該タグの所有者が制御を所望する照明機器との関連付けを行うことができる。例えば、複数のタグが存在する場合、ある一の装置で関連付けを管理すると、タグ毎に関連付けを管理する必要があり、その管理は煩雑なものとなる可能性がある。そこで、この構成によると、タグ自身が、関連付けされた照明識別子を記憶するのでその管理は、タグ自身が行うこととなり、その管理は、ある一の装置で全てのタグについて管理する場合に比べて容易なものとなる。
【０１１９】
（５）ここで、前記タグは、さらに、他のタグへ前記記憶手段で記憶されている照明識別子を複写する複写指示を受け付ける受付手段と、前記複写指示が受け付けられると、前記記憶手段で記憶されている全ての照明識別子又は一部の照明識別子を前記他のタグへ複写する複写手段とを備えるとしてもよい。
この構成によると、タグは自身が記憶している全ての照明識別子又は一部の照明識別子を他のタグへ複写する。これにより、照明制御システムにおいて、他のタグに対する照明識別子の登録を容易に行うことができる。
【０１２０】
（６）ここで、前記タグは、さらに、他のタグへ前記記憶手段で記憶されている照明識別子を複写する指示を受け付ける受付手段とを備え、前記送信手段は、さらに、前記指示を受け付けると、前記記憶手段で記憶されている全ての照明識別子又は一部の識別子を含む複写情報を前記タグリーダへ送信し、前記タグリーダは、さらに、前記複写情報を受信する受信手段と、前記複写情報が受信されると、前記他のタグへ前記複写情報に含まれる前記照明識別子を複写する複写手段とを備えるとしてもよい。
【０１２１】
この構成によると、タグは、自身が記憶している全ての照明識別子又は一部の照明識別子を、タグリーダを介して他のタグへ複写する。これにより、照明制御システムは、他のタグに対する照明識別子の登録を容易に行うことができる。
（７）ここで、前記タグリーダは、さらに、記憶手段を備え、前記処理手段は、前記関連付け指示を送信したタグを識別するタグ識別子と、当該関連付け指示を受け付けた時点で点灯している照明機器の集合を構成する照明識別子とを対応付けて、前記記憶手段へ書き込むことで、前記関連付けに係る処理を行い、前記第１信号には、前記タグのタグ識別子を含み、前記特定手段による特定とは、前記第１信号に含まれるタグ識別子と対応付けられた照明識別子を前記記憶手段から取得することであるとしてもよい。
【０１２２】
この構成によると、タグリーダは、記憶手段にタグ識別子と照明識別子とを対応付けて記憶することで、タグの所有者が制御を所望する照明機器と当該タグとの関連付けを行うことができる。これにより、タグが複数存在する場合、タグリーダにて照明機器と関連付けされたタグを一元管理することで、制御すべきタグと制御すべきでないタグ（管理されていないタグ）とを明確に区別することができる。つまり、通常モードにおいて、登録されているタグからの第１信号を受信した場合にのみ関連付けされた照明機器の制御を行うことができる。
【０１２３】
（８）ここで、前記タグリーダは、さらに、他のタグリーダへ、前記記憶手段で記憶されているタグ識別子と、当該タグ識別子と対応付けられた照明識別子とからなる組を複写する複写指示を受け付ける受付手段と、前記複写指示が受け付けられると、前記関連付け情報を前記他のタグリーダへ複写する複写手段を備えるとしてもよい。
この構成によると、タグリーダは自身が記憶している全ての照明識別子又は一部の照明識別子を他のタグリーダへ複写する。これにより、照明制御システムにおいて、他のタグリーダに対する照明識別子の登録を容易に行うことができる。
【０１２４】
（９）ここで、前記照明制御システムには、照明機器の点灯に係る制御を行う通常モードと、タグに対して関連付けを行う登録モードとがあり、前記照明制御システムは、さらに、前記複数の照明機器と接続され、前記登録モードにおいて、当該複数の照明機器のうち１つ以上の照明機器からなる集合毎に点灯及び消灯を繰り返すよう制御する制御装置を備え、前記タグリーダは、さらに、前記登録モードにおいて、前記制御装置による制御で一の集合について点灯がなされている間に、前記一の集合を構成する照明機器の照明識別子を無線通信により送信する送信手段を備え、前記タグは、さらに、記憶手段と、前記タグリーダの前記送信手段から送信された前記照明識別子を受信する受信手段と、前記受信手段で受信された前記照明識別子を前記記憶手段へ登録する登録手段とを備え、前記関連付けとは、前記登録手段における登録であり、前記第１信号には、前記記憶手段で記憶されている全ての照明識別子を含み、前記特定手段による特定とは、前記第１信号に含まれる照明識別子の取得であるとしてもよい。
【０１２５】
または、前記照明制御システムには、照明機器の点灯に係る制御を行う通常モードと、タグに対して関連付けを行う登録モードとがあり、前記照明制御システムは、さらに、前記複数の照明機器と接続され、前記登録モードにおいて、前記複数の照明機器毎に点灯及び消灯を繰り返すよう制御する制御装置を備え、前記タグリーダは、さらに、前記登録モードにおいて、前記制御装置が前記複数の照明機器毎に順次点灯及び消灯を繰り返す度に、点灯されている照明機器を識別する照明識別子を無線通信により送信する送信手段を備え、前記タグは、さらに、記憶手段と、前記タグリーダの前記送信手段から送信された前記照明識別子を受信する受信手段と、前記受信手段で受信された前記照明識別子を前記記憶手段へ登録する登録手段とを備え、前記第１信号には、前記記憶手段で記憶されている全ての照明識別子を含み、前記特定手段による特定とは、前記前記信号に含まれる照明識別子の取得であるとしてもよい。
【０１２６】
この構成によると、タグリーダは、照明機器の集合毎に、当該集合において点灯がなされている間に、当該集合を構成する照明機器それぞれを識別する照明識別子を無線通信により送信している。タグの所有者は、制御を所望する集合において点灯がなされている間に、タグリーダの無線通信の範囲内にタグを配置させることで、当該タグの所有者が制御を所望する照明機器との関連付けを行うことができる。
【符号の説明】
【０１２７】
１    照明制御システム
２    フロア
１０ａ、１０ｂ  タグリーダ（ＴＲ）
２０ａ〜２０ｄ  タグ
３０ａ〜３０ｊ  照明機器
１１０    Ｉ／Ｆ部
１３０    操作部
１４０    ＬＦ帯送受信部
１４１    ＬＦアンテナ
１５０    小電力受信部
１５１    ＵＨＦアンテナ
１８０    制御部
１８１    モード切替部
１８２    照明制御部
１８３    登録処理部
２１０    ＬＦ帯送受信部
２１１    ＬＦアンテナ
２２０    小電力送受信部
２２１    ＵＨＦアンテナ
２３０    メモリ
２３１    タグ識別子
２３２    照明情報テーブル
２４０    ボタン
２５０    通知部
２６０    電池
２７０    制御部
２７１    モード切替部
２７２    照明制御部
２７３    登録処理部
２７４    複写部
【図１】
2011175758.tif 000003
【図２】
2011175758.tif 000004
【図３】
2011175758.tif 000005
【図４】
2011175758.tif 000006
【図５】
2011175758.tif 000007
【図６】
2011175758.tif 000008
【図７】
2011175758.tif 000009
【図８】
2011175758.tif 000010
【図９】
2011175758.tif 000011
【図１０】
2011175758.tif 000012
【図１１】
2011175758.tif 000013
【図１２】
2011175758.tif 000014
【図１３】
2011175758.tif 000015
【図１４】
2011175758.tif 000016
【図１５】
2011175758.tif 000017
【図１６】
2011175758.tif 000018
【図１７】
2011175758.tif 000019